(57)【要約】【課題】フィルム等の被読影物を透かして観察する際の照明として画面の一部を用いることができる画像表示装置において、被読影物の設置領域を精度良く検出する。【解決手段】画面の一部の領域を、画面上に設置される観察対象物に光を照射する照明として用いることができる画像表示装置であって、画像を表示する表示パネルと、輝度を個別に制御可能な複数の分割領域を有する発光手段と、画像表示装置の内部の複数の異なる位置に配置される複数の光センサと、画面上に観察対象物が設置されていない状態で複数の光センサにより検出される第１の検出値と、画面上に観察対象物が設置された状態で複数の光センサにより検出される第２の検出値と、に基づき、画面上の観察対象物が設置された設置領域を検出する検出手段と、設置領域に対応する発光手段の分割領域を他の分割領域より高い輝度で発光させる制御手段と、を備える画像表示装置。【選択図】図１
2015152785.tif 000002
【特許請求の範囲】
【請求項１】
画面の一部の領域を、画面上に設置される観察対象物に光を照射する照明として用いることができる画像表示装置であって、
画像を表示する表示パネルと、
輝度を個別に制御可能な複数の分割領域を有する発光手段と、
前記画像表示装置の内部の複数の異なる位置に配置される複数の光センサと、
画面上に前記観察対象物が設置されていない状態で前記複数の光センサにより検出される第１の検出値と、画面上に前記観察対象物が設置された状態で前記複数の光センサにより検出される第２の検出値と、に基づき、画面上の前記観察対象物が設置された設置領域を検出する検出手段と、
前記設置領域に対応する発光手段の分割領域を他の分割領域より高い輝度で発光させる制御手段と、
を備える画像表示装置。
【請求項２】
前記検出手段は、前記複数のセンサのうち、前記第１の検出値と前記第２の検出値との差が閾値以上であるセンサの存在する領域を前記設置領域として検出する請求項１に記載の画像表示装置。
【請求項３】
前記検出手段は、前記複数のセンサのうち、前記第１の検出値と前記第２の検出値との差が第１の閾値以上であるセンサの存在する領域と、当該領域の周囲において、前記第１の検出値と前記第２の検出値との差が第２の閾値以上であるセンサの個数が第３の閾値以上である領域と、を前記設置領域として検出する請求項１に記載の画像表示装置。
【請求項４】
前記検出手段は、前記複数のセンサのうちに、前記第１の検出値と前記第２の検出値との差が閾値以上であるセンサが存在しない場合、画面上に前記観察対象物は設置されていないと判定する請求項１〜３のいずれか１項に記載の画像表示装置。
【請求項５】
想定される観察対象物の大きさの既定値の情報を取得する取得手段を更に備え、
前記検出手段は、前記取得手段により取得した既定値のうち、前記検出した設置領域の大きさに最も近い値に基づき、前記検出した設置領域を補正する請求項１〜４のいずれか１項に記載の画像表示装置。
【請求項６】
前記制御手段は、前記設置領域を包含するように前記他の分割領域より高い輝度で発光させる分割領域を決定する請求項１〜５のいずれか１項に記載の画像表示装置。
【請求項７】
前記制御手段は、前記他の分割領域より高い輝度で発光させる分割領域のうち前記設置領域に含まれない部分に対応する前記表示パネルの領域に黒画像を表示させる請求項６に記載の画像表示装置。
【請求項８】
前記検出手段は、前記検出手段が前記設置領域を検出するときの前記光センサの感度を、それ以外のときの前記光センサの感度より低くする請求項１〜７のいずれか１項に記載の画像表示装置。
【請求項９】
前記検出手段は、複数の分割領域の各々について、画面上に前記観察対象物が設置されていない状態で１つの分割領域のみを発光させたときに当該分割領域に対応する光センサにより検出される第１の検出値と、画面上に前記観察対象物が設置された状態で当該分割領域のみを発光させたときに当該分割領域に対応する光センサにより検出される第２の検出値と、を取得することにより、前記第１の検出値と第２の検出値とに基づき前記設置領域を検出する請求項１〜８のいずれか１項に記載の画像表示装置。
【請求項１０】
前記観察対象物はフィルムである請求項１〜９のいずれか１項に記載の画像表示装置。
【請求項１１】
画面の一部の領域を、画面上に設置される観察対象物に光を照射する照明として用いることができる画像表示装置の制御方法であって、前記画像表示装置は、
画像を表示する表示パネルと、
輝度を個別に制御可能な複数の分割領域を有する発光手段と、
前記画像表示装置の内部の複数の異なる位置に配置される複数の光センサと、
を備え、
画面上に前記観察対象物が設置されていない状態で前記複数の光センサにより検出される第１の検出値と、画面上に前記観察対象物が設置された状態で前記複数の光センサにより検出される第２の検出値と、に基づき、画面上の前記観察対象物が設置された設置領域を検出する検出工程と、
前記設置領域に対応する発光手段の分割領域を他の分割領域より高い輝度で発光させる制御工程と、
を有する画像表示装置の制御方法。
【請求項１２】
前記検出工程では、前記複数のセンサのうち、前記第１の検出値と前記第２の検出値との差が閾値以上であるセンサの存在する領域を前記設置領域として検出する請求項１１に記載の画像表示装置の制御方法。
【請求項１３】
前記検出工程では、前記複数のセンサのうち、前記第１の検出値と前記第２の検出値との差が第１の閾値以上であるセンサの存在する領域と、当該領域の周囲において、前記第１の検出値と前記第２の検出値との差が第２の閾値以上であるセンサの個数が第３の閾値以上である領域と、を前記設置領域として検出する請求項１１に記載の画像表示装置の制御方法。
【請求項１４】
前記検出工程では、前記複数のセンサのうちに、前記第１の検出値と前記第２の検出値との差が閾値以上であるセンサが存在しない場合、画面上に前記観察対象物は設置されていないと判定する請求項１１〜１３のいずれか１項に記載の画像表示装置の制御方法。
【請求項１５】
想定される観察対象物の大きさの既定値の情報を取得する取得工程を更に有し、
前記検出工程では、前記取得工程により取得した既定値のうち、前記検出した設置領域の大きさに最も近い値に基づき、前記検出した設置領域を補正する請求項１１〜１４のいずれか１項に記載の画像表示装置の制御方法。
【請求項１６】
前記制御工程では、前記設置領域を包含するように前記他の分割領域より高い輝度で発光させる分割領域を決定する請求項１１〜１５のいずれか１項に記載の画像表示装置の制御方法。
【請求項１７】
前記制御工程では、前記他の分割領域より高い輝度で発光させる分割領域のうち前記設置領域に含まれない部分に対応する前記表示パネルの領域に黒画像を表示させる請求項１６に記載の画像表示装置の制御方法。
【請求項１８】
前記検出工程では、前記検出工程で前記設置領域を検出するときの前記光センサの感度を、それ以外のときの前記光センサの感度より低くする請求項１１〜１７のいずれか１項に記載の画像表示装置の制御方法。
【請求項１９】
前記検出工程では、複数の分割領域の各々について、画面上に前記観察対象物が設置されていない状態で１つの分割領域のみを発光させたときに当該分割領域に対応する光セン
サにより検出される第１の検出値と、画面上に前記観察対象物が設置された状態で当該分割領域のみを発光させたときに当該分割領域に対応する光センサにより検出される第２の検出値と、を取得することにより、前記第１の検出値と第２の検出値とに基づき前記設置領域を検出する請求項１１〜１８のいずれか１項に記載の画像表示装置の制御方法。
【請求項２０】
前記観察対象物はフィルムである請求項１１〜１９のいずれか１項に記載の画像表示装置の制御方法。
【発明の詳細な説明】
【技術分野】
【０００１】
本発明は、画像表示装置及びその制御方法に関するものである。
【背景技術】
【０００２】
従来、Ｘ線で撮影したレントゲンフィルム等を読影する際には、シャウカステン上にフィルムを置いて読影していた。近年、医用画像のデジタル化に伴い、画像表示装置（医用ビューア）を用いたモニタ診断が主流となり、医療機関によってはフィルムレス運用が進みシャウカステンの無い医療機関もある。
また、医用画像表示装置において、バックライトを高輝度で発光させ液晶パネルに白表示することにより、表示装置本体をシャウカステンとして用いる機能を搭載したものが普及し始めている。このような医用画像表示装置を使用することにより、医用画像表示装置１台でデジタル画像の読影のみならず、フィルム画像の読影も可能となり利便性が向上している。
一方、シャウカステンを用いたフィルム読影の時代から、高輝度で発光する領域(以降
、シャウカステン領域と記述)がフィルムからはみ出すことにより、誤診や読影効率が低
下するという課題があった。この課題は、シャウカステン機能を搭載した医用画像表示装置についても同様に存在する。
【０００３】
特許文献１には、画像表示装置内に備える線状フォトセンサが機械的に上下移動しながら装置の外部から入る光量を測定することで、フィルムが置かれた領域（フィルム領域）を判断し、発光面積をフィルム領域に合わせる技術が開示されている。
また、特許文献２において、フィルムを挟むクリップ部材に感圧センサを配置することによりフィルム領域を検出する技術や、タッチパネルを用いてモニタに設定されたフィルムの四隅を押圧することによりフィルム領域を検出する技術が開示されている。
【先行技術文献】
【特許文献】
【０００４】
【特許文献１】特開平２−１３９２０号公報
【特許文献２】特開２０００−２４１７４９号公報
【発明の概要】
【発明が解決しようとする課題】
【０００５】
しかしながら、上述した特許文献１では、明るい環境下においては装置の外部から入る光量でフィルム領域を検出することは可能である。しかし、読影室のような暗く装置の外部から光がほとんど入らない環境下においては、フィルム領域とフィルム外領域とで十分な光量の差が無くなり、フィルム領域を誤検出する可能性がある。
また、特許文献２では、モニタ上にフィルムを置き、フィルム領域を押圧して指定することで、読影環境の明るさに依らずフィルム領域を検出することは可能である。しかし、指で直接モニタを押圧する為、場合によってはモニタ表面に指紋が付着してしまい診断に影響を与える可能性がある。
更に、上記の２つの特許文献に記載の技術では、専用の線状センサやタッチパネルを画像表示装置内に備える必要があり、回路の大規模化や高コスト化に繋がる可能性がある。
【０００６】
そこで、本発明は、フィルム等の被読影物を透かして観察する際の照明として画面の一部を用いることができる画像表示装置において、被読影物の設置領域を精度良く検出することを目的とする。
【課題を解決するための手段】
【０００７】
本発明は、画面の一部の領域を、画面上に設置される観察対象物に光を照射する照明として用いることができる画像表示装置であって、
画像を表示する表示パネルと、
輝度を個別に制御可能な複数の分割領域を有する発光手段と、
前記画像表示装置の内部の複数の異なる位置に配置される複数の光センサと、
画面上に前記観察対象物が設置されていない状態で前記複数の光センサにより検出される第１の検出値と、画面上に前記観察対象物が設置された状態で前記複数の光センサにより検出される第２の検出値と、に基づき、画面上の前記観察対象物が設置された設置領域を検出する検出手段と、
前記設置領域に対応する発光手段の分割領域を他の分割領域より高い輝度で発光させる制御手段と、
を備える画像表示装置である。
【０００８】
本発明は、画面の一部の領域を、画面上に設置される観察対象物に光を照射する照明として用いることができる画像表示装置の制御方法であって、前記画像表示装置は、
画像を表示する表示パネルと、
輝度を個別に制御可能な複数の分割領域を有する発光手段と、
前記画像表示装置の内部の複数の異なる位置に配置される複数の光センサと、
を備え、
画面上に前記観察対象物が設置されていない状態で前記複数の光センサにより検出される第１の検出値と、画面上に前記観察対象物が設置された状態で前記複数の光センサにより検出される第２の検出値と、に基づき、画面上の前記観察対象物が設置された設置領域を検出する検出工程と、
前記設置領域に対応する発光手段の分割領域を他の分割領域より高い輝度で発光させる制御工程と、
を有する画像表示装置の制御方法である。
【発明の効果】
【０００９】
本発明によれば、フィルム等の被読影物を透かして観察する際の照明として画面の一部を用いることができる画像表示装置において、被読影物の設置領域を精度良く検出することが可能となる。
【図面の簡単な説明】
【００１０】
【図１】実施例１の医用画像表示装置の構成を示すブロック図
【図２】実施例１のセンサの配置例
【図３】実施例１のフィルムサイズ判定テーブルの例
【図４】実施例１の医用画像表示装置の動作フロー
【図５】実施例１のシャウカステン領域を高輝度で発光させた画面例
【図６】実施例１のシャウカステン領域判定の動作フロー
【図７】実施例１のフィルムが置かれていない状態の画面例
【図８】実施例１のフィルムが置かれた状態の画面例
【図９】実施例１のフィルムが有る状態と無い状態におけるセンサ値の例
【図１０】実施例１のシャウカステン領域の補正に関する例1
【図１１】実施例１のシャウカステン領域の補正に関する例２
【図１２】実施例２の医用画像表示装置の構成を示すブロック図
【図１３】実施例２のセンサの受光量とセンサ値の関連図
【図１４】実施例２の医用画像表示装置の動作フロー
【図１５】実施例３のＧＵＩ表示例
【図１６】実施例３のシャウカステン領域判定の動作フロー
【図１７】実施例３のセンサの受光量とセンサ感度の関連図
【図１８】実施例３のＢＬの点灯例
【発明を実施するための形態】
【００１１】
（実施例１）
以下、本発明の実施例１の医用画像表示装置について、図面を参照して説明する。
実施例１の医用画像表示装置は、画像を表示する表示パネルと、表示パネルに光を照射する発光手段としてのバックライト（以下、ＢＬという）と、を備える画像表示装置である。医用画像表示装置は、画像データに基づく画像を画面に表示するとともに、画面の一部の領域を、フィルム等の画面上に設置される観察対象物（被読影物）に光を照射する照明として用いることができる。医用画像表示装置は、ＢＬの制御モードとして、ドリフト・むら補正を行う第１のＢＬ制御モードと、画面上のフィルムが置かれた設置領域（フィルム領域）の判定処理を行う第２のＢＬ制御モードと、を有する。実施例１では、第１のＢＬ制御モードと第２のＢＬ制御モードとを一定期間毎に切り換えてフィルム領域の判定を行い、フィルム領域のＢＬを高輝度で発光させことで画面の一部をシャウカステンとして用いることができる。なお、実施例１でユーザとは、特別な記載がない限り読影医等の医用画像表示装置の操作者を指すものとする。
【００１２】
図１は、実施例１に係る医用画像表示装置１００の構成を示すブロック図である。医用画像表示装置１００は、ＵＩ部１０１、入力画像受信部１０２、制御部１０３、表示部１０４、ＢＬ制御部１０５、ＢＬ１０６、フィルム領域判定部１０７、センサ値取得部１０８、センサ１０９を備える。医用画像表示装置は更に、フィルムサイズ記憶部１１０、シャウカステン領域補正部１１１を備える。ＵＩは「User Interface」を表す。
【００１３】
ＵＩ部１０１は、医用画像表示装置１００と接続されている入力デバイス（例えば、マウスやキーボード）を介し、ユーザからの入力操作を受け付け制御部１０３へ通知する。例えば、ユーザが画像表示の指定を行った場合、ＵＩ部１０１は、表示するデジタル画像を制御部１０３へ通知する。
入力画像受信部１０２は、図示しない外部装置から画像インタフェース等を通じて供給された画像データを制御部１０３と表示部１０４へ出力する。
【００１４】
制御部１０３は、ＵＩ部１０１から受信したユーザ操作や入力画像受信部１０２から受信した画像データに従って、医用画像表示装置１００全体の動作を制御する。また、制御部１０３は、後述するＢＬ制御部１０５の各制御モードを一定間隔で切り換える。
【００１５】
表示部１０４は、入力画像受信部１０２から入力される画像データに基づく画像を表示すると共に、制御部１０３が指定したメニュー等のＧＵＩ画像を上記画像データに基づく画像に重畳して表示する。ＧＵＩは「Graphical User Interface」を表す。なお、本実施例では、表示装置が透過型の液晶表示装置である場合の例を説明するが、表示装置は、透過型の液晶表示装置に限らない。表示装置は、独立した光源を有する表示装置であればよい。また、表示装置は、液晶素子の代わりにＭＥＭＳ（Micro Electro Mechanical System）シャッターを用いたＭＥＭＳシャッター方式ディスプレイであってもよい。
【００１６】
ＢＬ制御部１０５は、ドリフト・むら補正を行うためにＢＬ１０６を制御する第１のＢＬ制御モードと、フィルム領域を特定しフィルム領域のＢＬ１０６をシャウカステン領域として高輝度で発光させる第２のＢＬ制御モードの２つのモードでＢＬ１０６を制御する。なお、実施例１では、ＢＬ制御部１０５を１つのブロックで示しているが、制御モード毎にＢＬ制御部を備え、複数のＢＬ制御部を持つ構成にしても良く、その場合、制御部１０３はＢＬ１０６の制御を行うＢＬ制御部を一定間隔で切り換える。
【００１７】
ＢＬ１０６は、表示部１０４の背面側に配置され、表示部１０４に光を照射するバックライトである。ＢＬ１０６は、ＬＥＤ（Light Emitting Diode）等の光源（発光素子）により構成される。ＢＬ１０６は、個別に発光量を制御可能な複数の分割領域から構成され、各分割領域の発光量はＢＬ制御部１０５により独立して制御される。
【００１８】
フィルム領域判定部１０７は、後述するセンサ値取得部１０８を介し、センサ１０９の値を取得する。フィルム領域判定部１０７は、取得した各センサ値に基づき、表示部１０４の画面上のフィルムが置かれた領域を特定し、制御部１０３へ通知する。なお、フィルム領域判定部１０７の処理詳細については後述する。
センサ値取得部１０８は、センサ１０９から各センサ値を取得し、ＢＬ制御部１０５やフィルム領域判定部１０７へ通知する。
【００１９】
センサ１０９は、医用画像表示装置１００の内部の表示部１０４の背面側に、複数の異なる位置に配置され、医用画像表示装置１００の外部からの入射光や、ＢＬ１０６が発光し表示部１０４で反射した反射光の輝度を測定する。また、センサ１０９は、測定した輝度をセンサ値として保持する。図２にセンサ１０９の配置例を示す。実施例１では、医用画像表示装置１００にセンサ１０９がｍ個存在するものとして以降説明を行う。また、センサＩＤは、最も左上の位置のセンサから最も右下の位置のセンサまで順に付与される番号である。
【００２０】
フィルムサイズ記憶部１１０は、図３に示すようにフィルム規格毎にフィルムの縦と横の大きさの既定値の情報を保持している。これは想定される観察対象物の大きさの既定値の情報である。なお、フィルムサイズ記憶部１１０は、ハードディスクや不揮発性メモリを媒体として情報を記憶する。
【００２１】
シャウカステン領域補正部１１１は、フィルムサイズ記憶部１１０が保持しているフィルムサイズに基づき、前記フィルム領域判定部１０７が特定したフィルム領域を補正し、補正後のフィルム領域をシャウカステン領域として制御部１０３へ通知する。そして、制御部１０３がＢＬ制御部１０５へシャウカステン領域の情報を通知し、ＢＬ制御部１０５がそれに基づきＢＬ１０６を発光させることにより、シャウカステン領域として指定された領域のＢＬが高輝度で発光する。なお、シャウカステン領域補正部１１１の処理詳細については後述する。
【００２２】
＜本発明の全体の処理フローの説明＞
図４は、実施例１に係る全体の処理を示すフロー図である。
医用画像表示装置１００は電源が投入され起動すると、以下に記述する処理を実施する。
【００２３】
ステップＳ４０１において、制御部１０３はＢＬ制御モードを第１のＢＬ制御モードに変更するようにＢＬ制御部１０５へ通知する。
【００２４】
ステップＳ４０２において、制御部１０３は一定時間(例えば、Ｎ秒間)経過するまで秒数をカウントアップする。一定時間経過した場合、Ｓ４０４の処理に移る。また、一定時間経過するまでの間はＳ４０３の処理が繰り返される。
【００２５】
ステップＳ４０３において、ＢＬ制御部１０５は第１のＢＬ制御モードでＢＬ１０６を制御する。第１のＢＬ制御モードでは、ＢＬ制御部１０５は、センサ１０９の各センサ値を、センサ値取得部１０８を介し取得する。ＢＬ制御部１０５は、取得した各センサ値に従い医用画像表示装置１００全体として明るさのむらが低減するように、ＢＬ１０６の発光量を分割領域毎に制御する。
【００２６】
ステップＳ４０４において、制御部１０３はＢＬ制御モードを第２のＢＬ制御モードに変更するようにＢＬ制御部１０５へ通知する。第２のＢＬ制御モードでは、第１のＢＬ制御モードで制御していたＢＬ１０６の分割領域毎の発光量制御を解除し、フィルム領域を特定するために以降の処理を行う。
【００２７】
ステップＳ４０５において、制御部１０３は一定時間(例えば、Ｎ秒間)経過するまで秒数をカウントアップする。一定時間経過した場合には、Ｓ４０１の処理へ戻る。また、一定時間経過するまでの間はＳ４０６とＳ４０７の処理が繰り返される。
【００２８】
ステップＳ４０６において、フィルム領域判定部１０７はセンサ値取得部１０８を介し、センサ１０９の各センサ値を取得し、フィルムが置かれた領域（フィルム領域）が存在するかの判断を行う。フィルム領域が存在する場合、シャウカステン領域補正部１１１が、フィルム領域とフィルムサイズ判定テーブルを比較しシャウカステン領域の補正を行う。
【００２９】
ステップＳ４０７において、制御部１０３はフィルム領域判定部１０７とシャウカステン領域補正部１１１の判定結果に基づき、シャウカステン領域が存在するかどうかを判断する。シャウカステン領域が存在する場合、制御部１０３はＳ４０５での経過秒数のカウントアップを停止し、ＢＬ制御部１０５へシャウカステン領域の位置と大きさ（補正したフィルム領域の大きさ）を通知する。シャウカステン領域の位置は、例えばシャウカステン領域の最も左上の角の座標値により表される。ＢＬ制御部１０５はＳ４０８の処理を行う。シャウカステン領域が存在しない場合には、Ｓ４０５の処理に戻る。
【００３０】
ステップＳ４０８において、ＢＬ制御部１０５は、図５に示すように、通知されたシャウカステン領域の位置（Ｒｘ，Ｒｙ）と大きさ（幅Ｆｗと高さＦｈ）に対応するＢＬ１０６の分割領域を他の分割領域に比べて高輝度で発光させる。高輝度で発光させる分割領域は、高輝度で発光する分割領域が全体としてシャウカステン領域を包含するように決定される。この状態で、ユーザはシャウカステン領域に透かして観察する被読影物であるフィルムを設置することでフィルム画像の診断を行うことができる。なお、ＢＬ１０６の分割領域の配置とフィルム領域との位置関係によっては、シャウカステン領域がフィルム領域より大きくなり、バックライト光がフィルム周囲から漏れる場合が考えられる。その場合、シャウカステン領域のうちフィルムが設置されない領域、すなわち高輝度で発光する分割領域のうちシャウカステン領域に含まれない領域に対応する部分の表示部１０４に黒画像を表示し、光漏れを抑制するようにしても良い。
【００３１】
ステップＳ４０９において、ユーザがフィルム診断終了操作を行った場合は、制御部１０３はＢＬ制御部１０５へフィルム診断終了を通知し、ＢＬ制御部１０５はシャウカステン領域を高輝度で発光させるＢＬ１０６の制御を終了する。なお、フィルム診断の終了操作は、例えばフィルム診断終了を医用画像表示装置１００に指示する操作を受け付けるＧＵＩ部品をビューアアプリケーションのメニューに表示し、ユーザがＵＩ部１０１を介してＧＵＩを操作することで、実行される。
【００３２】
＜フィルム領域判定部１０７とシャウカステン領域補正部１１１の処理詳細フロー＞
図６は、前記図４のステップＳ４０６におけるフィルム領域判定部１０７とシャウカステン領域補正部１１１における、シャウカステン領域判定処理を表すフロー図である。
【００３３】
ステップＳ６０１において、フィルム領域判定部１０７はセンサ値取得部１０８を介し、センサ１０９の各センサ値を取得する。このセンサ値は、画面上に前記観察対象物が設置された状態で前記複数の光センサにより検出される第２の検出値である。
【００３４】
ステップＳ６０２において、フィルム領域判定部１０７は取得した各センサ値と前回取得した各センサ値との差分を算出し、ステップＳ６０３に移る。前回取得したセンサ値は、画面上に前記観察対象物が設置されていない状態で前記複数の光センサにより検出される第１の検出値である。
【００３５】
図７（ａ）に示すような医用画像表示装置上にフィルムが置かれていない状態では、センサ１０９は、図７（ｂ）に示すようにＢＬ１０６が発光した光が表示部１０４で反射した光のみを受光する。読影室のような暗い環境下においては、センサ１０９の受光量は外光による影響をほとんど受けない。
【００３６】
また、図８（ａ）に示すような医用画像表示装置上にフィルムが置かれた状態では、フィルムが置かれた領域において、センサ１０９は、表示部１０４で反射した光と、表示部１０４を透過してフィルムで反射した光と、の両方を受光する。その為、図８（ｂ）に示すように、フィルムが置かれた領域におけるセンサ１０９の受光量は、フィルムが置かれていない領域におけるセンサ１０９の受光量に比べて多い。よって、センサ１０９の各センサ値について、フィルムが置かれた後の値からフィルムが置かれる前の値を減算することでフィルム領域を特定することが可能である。例として、図９（ａ）にフィルムが置かれる前のセンサ１０９の各センサ値を、図９（ｂ）にフィルムが置かれた後のセンサ１０９の各センサ値を示す。
【００３７】
ステップＳ６０３において、フィルム領域判定部１０７は、ステップＳ６０２で算出した差分に基づき、各センサ値が閾値以上増加したかを判定する（ここでは閾値ｎとする）。センサ値が閾値ｎ以上増加したセンサ１０９が存在しない場合、フィルム領域判定部１０７は、ステップＳ６０４において、シャウカステン領域が無いことを制御部１０３へ通知する。センサ値が閾値ｎ以上増加したセンサ１０９が存在する場合、フィルム領域判定部１０７は、ステップＳ６０５の処理を行う。
【００３８】
ステップＳ６０５において、フィルム領域判定部１０７は、センサ値が閾値ｎ以上増加したセンサ１０９の位置関係から、フィルム領域Ｒの位置（Ｒｘ，Ｒｙ）を算出する。また、フィルム領域判定部１０７は、センサ間の距離（センサ設置間隔）からフィルム領域Ｒの大きさ（幅Ｒｗと高さＲｈ）を算出する。医用画像表示装置１００において、センサ１０９の位置や設置間隔は製造時に決まっている為、センサ値が閾値ｎ以上増加したセンサ１０９を特定することで、フィルム領域Ｒの位置と大きさを算出することが可能である。なお、図１０は、前記図９（ａ）、図９（ｂ）から算出した、フィルム設置前後の各センサ値の差分値と、差分値が閾値（ここでは３とする）以上増加したセンサ１０９の位置関係から算出したフィルム領域Ｒの例を示す図である。フィルム領域判定部１０７は、算出したフィルム領域Ｒの位置（Ｒｘ，Ｒｙ）と大きさ（幅Ｒｗと高さＲｈ）を、制御部１０３を介し、シャウカステン領域補正部１１１に通知する。なお、フィルム領域Ｒの大きさが一定値以下の場合にもシャウカステン領域が無いと判断しても良い。
【００３９】
ステップＳ６０６において、シャウカステン領域補正部１１１は、受信したフィルム領域Ｒの大きさ（幅Ｒｗと高さＲｈ）に一番近いフィルムの大きさを、フィルムサイズ記憶部１１０に記憶しているフィルムサイズ判定テーブルから抽出する。そして、ステップＳ６０５で算出されたフィルム領域Ｒの大きさに一番近いフィルムの大きさ（幅Ｆｗと高さＦｈ）を、フィルム領域Ｒの大きさとする補正を行う。
【００４０】
ステップＳ６０７において、シャウカステン領域補正部１１１は、フィルム領域Ｒの位置（Ｒｘ，Ｒｙ）と補正後のフィルム領域Ｒの大きさ（幅Ｆｗと高さＦｈ）を、シャウカステン領域の位置と大きさの情報として制御部１０３へ通知する。
なお、その後の処理は、前記Ｓ４０７で記述したように、制御部１０３が、受信したシャウカステン領域の位置と大きさの情報をＢＬ制御部１０５へ通知する。そして、ＢＬ制御部１０５が、シャウカステン領域に対応するＢＬ１０６の分割領域を他の分割領域に比べて高輝度で発光させる。
【００４１】
＜効果＞
以上のように、実施例１によれば、線状センサやタッチパネル等の専用のセンサを必要とせず、低コスト、及び簡素な回路構成でフィルム領域を検出し、シャウカステン領域として設定することが可能となる。
また、ＢＬの反射光を利用することにより、医用画像表示装置の外部から光が入りにくい読影室等の暗い環境下においても、フィルム領域を検出し、シャウカステン領域として設定することが可能となる。
【００４２】
なお、実施例１では、ステップＳ６０５において１つの閾値でフィルム領域を算出する例で説明を行ったが、複数の閾値で判断しても良い。例えば、図１１に示すように、センサ値が閾値３（第１の閾値）以上増加したセンサを含む矩形領域Ｒを１次領域とする。そして、１次領域の周囲で１次領域に隣接する領域Ｒ２部分に、センサ値が閾値２（第２の閾値）以上増加したセンサが一定の個数以上（第３の閾値以上）存在する場合には、フィルム領域をＲ２まで広げるように補正を行う。また、センサ値が閾値２以上増加したセンサであっても１次領域に隣接する領域Ｒ２に含まれない領域Ｒ１については、フィルム領域と判定しない。このように複数の閾値を用いてフィルム領域を算出することで、センサのノイズによる測定誤差の影響を低減し、精度良くフィルム領域を判定することが可能となる。
【００４３】
なお、実施例１では、ステップＳ６０７において、フィルム領域Ｒの最も左上にあるセンサ１０９の位置（Ｒｘ，Ｒｙ）をそのままシャウカステン領域の位置（Ｒｘ，Ｒｙ）として使用してフィルム領域Ｒを補正する例を説明した。しかし、フィルム領域Ｒの重心が補正前と補正後で変化しないようにして補正後のフィルム領域Ｒの位置を算出しても良い。
なお、実施例１では、一定期間毎に第１のＢＬ制御モードと第２のＢＬ制御モードを切り換える例を説明したが、ユーザがメニュー等からＢＬの制御モードを指定することで、シャウカステン領域の設定と解除を行えるようにしても良い。
【００４４】
（実施例２）
本発明の実施例２では、第２のＢＬ制御モード実行時に、それ以外の時より光センサの感度を下げてフィルム領域の判定を行う例について説明する。なお、実施例１と同じ構成については説明を省略する。
図１２は、実施例２に係る医用画像表示装置１２００の構成を示すブロック図である。実施例１との相違点は、センサ感度制御部１２１０を追加した点と、制御部１０３の処理が異なる点である。
【００４５】
センサ感度制御部１２１０は、制御部１０３から第２のＢＬ制御モードの開始を通知された場合、フィルム領域に対応するセンサ１０９のセンサ値が飽和しないように、センサ１０９の感度を下げる。図１３は、センサ１０９の受光量とセンサ値との関係を例示した図である。図１３において、フィルム領域におけるセンサ１０９の受光量をＬｂ、フィルム領域外におけるセンサ１０９の受光量をＬａとする。また、曲線Ｌはセンサ感度曲線であり、感度を下げることでセンサ感度曲線はＬ’やＬ″となる。例えば、センサ感度曲線がＬの場合、フィルム領域外におけるセンサ１０９の受光量Ｌａとフィルム領域におけるセンサ１０９の受光量Ｌｂでは、両者とも出力センサ値がＳｍａｘとなり同じになるため、フィルム領域か否かの判別が出来なくなる（飽和状態）。またセンサ感度を下げ過ぎて
センサ感度曲線Ｌ″になってしまうと、受光量ＬａとＬｂの出力センサ値は、ＳＡ″とＳＢ″となり、差が小さくなり過ぎてフィルム領域か否かの判別が困難になってしまう。そこで、実施例２では、フィルム領域の判定を精度良く行うことができるように、センサ感度の調整を行う。
【００４６】
＜全体の処理詳細フロー＞
図１４は、実施例２に係る全体処理を示すフロー図である。実施例１との相違点はステップＳ１４０４である。
ステップＳ１４０４において、制御部１０３はＢＬ制御モードを第２のＢＬ制御モードに変更するようにＢＬ制御部１０５へ通知すると共に、ＢＬ制御部１０５から現在のＢＬの発光量を取得する。そして、制御部１０３は、現在のＢＬの発光量でフィルム領域に対応するセンサ１０９のセンサ値が飽和しないセンサ感度の情報をセンサ感度制御部１２１０へ通知する。センサ感度制御部１２１０は、センサ１０９の感度を、通知されたセンサ感度まで下げる。
【００４７】
なお、フィルム領域におけるセンサ１０９の受光量は、フィルム領域外におけるセンサ１０９の受光量と表示部１０４を透過しフィルムで反射する光量との和となる。また、フィルムで反射する光量は、フィルムの反射率と表示部１０４の透過率とＢＬ１０６の発光量とから算出することが可能である。そこで、制御部１０３は、ＢＬの発光量毎に予め決めておいた、センサ１０９が飽和しないセンサ感度の情報を、内部にテーブルとして持っておく。或いは不図示の記憶装置にテーブルを記憶させておき、制御部１０３は記憶装置からテーブルを読み出す。或いは実験により予めフィルム領域を特定しやすいセンサ感度を計測して決めておき、その情報をテーブルとして持っていても良い。
【００４８】
＜効果＞
以上のように、第２のＢＬ制御モード実行時に、フィルム領域を判定可能な範囲でセンサの感度を下げて判定を行うことにより、フィルム領域でセンサ値が飽和することを抑制し、精度良くフィルム領域を検出することができる。
なお、実施例２において、第２のＢＬ制御モード実行時に、その都度、センサ１０９の受光量をフィルム領域外の受光量として、フィルム領域における受光量を算出し、飽和しないようにセンサ感度を下げても良い。
実施例２において、センサ値が飽和しないようにセンサ感度を下げる例を説明したが、第２のＢＬ制御モード実行時にＢＬの発光量が小さくフィルム領域を判別しにくい場合には、ＢＬの発光量を増加させても良い。
【００４９】
（実施例３）
本発明の実施例３では、第２のＢＬ制御モード実行時に、センサが他のＢＬの発光による影響を受けないようにＢＬを１つずつ点灯させる。また、フィルム領域とフィルム領域外のセンサ値の差異が増加するようにセンサ感度を上げ、フィルム領域を判定する方法について説明する。なお、医用画像表示装置１２００の構成は実施例２と同じで、制御部１０３と、ＢＬ制御部１０５、フィルム領域判定部１０７、センサ感度制御部１２１０の処理が異なる。実施例２と同じ所は説明を省略する。
【００５０】
＜第２のＢＬ制御モード時の詳細フロー＞
図１５は、ユーザがＵＩ部１０１を用いてメニュー表示した場合のＧＵＩ表示例である。メニューには検出ボタンＡと終了ボタンＢがあり、ユーザが検出ボタンＡを選択すると、医用画像表示装置１２００はフィルムが置かれた領域を特定し、シャウカステン領域としてＢＬ１０６を高輝度で発光させる。また、終了ボタンＢが選択された場合は、医用画像表示装置１２００は高輝度でＢＬ１０６発光させている状態を終了する。
【００５１】
図１６は、実施例３に係る、第２のＢＬ制御モード実行時の詳細フローである。このフローの処理は、前述した図１５でユーザが検出ボタンＡを選択した場合に開始される。
【００５２】
ステップＳ１６０１において、制御部１０３はＢＬ制御部１０５へ第２のＢＬ制御モードに変更するように通知をする。ＢＬ制御部１０５は第２のＢＬ制御モードの開始時に全てのＢＬ１０６を消灯する。
【００５３】
ステップＳ１６０２において、制御部１０３は前記Ｓ１６０１を行ったのち、センサ感度制御部１２１０へ第２のＢＬ制御モードの開始を通知する。センサ感度制御部１２１０は、センサ１０９のセンサ感度を上げる。図１７はセンサ１０９の受光量と出力センサ値との関係の一例を示す図である。図１７において、フィルム領域におけるセンサ１０９の受光量をＬｂ’、フィルム領域外におけるセンサ１０９の受光量をＬａ’とする。また、曲線Ｌはセンサ感度曲線であり、感度を上げるとセンサ感度曲線Ｌ’となる。ここで、センサ感度曲線Ｌの場合のフィルム領域外のセンサ１０９の受光量Ｌａ’と、フィルム領域のセンサ１０９の受光量Ｌｂ’とに対応する出力センサ値の差をＬＬｂ’−ＬＬａ’で示している。また、センサ感度が上がってセンサ感度曲線Ｌ’になった場合のフィルム領域外のセンサ１０９の受光量Ｌａ’と、フィルム領域のセンサ１０９の受光量Ｌｂ’とに対応する出力センサ値の差をＬ’Ｌｂ’−Ｌ’Ｌａ’で示している。図示するように、センサ感度を上げることにより、センサ１０９は飽和しやすくなるが、フィルム領域内外の出力センサ値の差分は大きくなるため、フィルム領域を判定しやすくなる。そこで、予めＢＬの発光量と、フィルム領域を判定しやすいセンサ感度と、の関係を実験で計測して決定しておき、制御部１０３の内部や外部記憶装置に記憶させておく。
【００５４】
ステップＳ１６０３において、制御部１０３はＢＬの個数分だけ、後述するＳ１６０４とＳ１６０５の処理を繰り返し行う。ＢＬの個数分繰り返し処理を行った場合には、Ｓ６０２以降の処理に移る。
【００５５】
ステップＳ１６０４において、制御部１０３はＢＬ制御部１０５に発光させるＢＬ１０６を通知する。ＢＬ制御部１０５は、通知されたＢＬ１０６を１つ発光させる。この時のＢＬ１０６の発光量は、前述したように予め実験で計測して求めた最適値を記憶装置から読み出すことで決定される。なお、図１８はＢＬを個別に発光させた場合を示す図である。図１８（ａ）は、全てのＢＬを消灯させた場合の状態であり、図１８（ｂ）は、ＢＬ制御部１０５がＢＬ１０６を１つ発光させた場合の状態である。そして、ＢＬ制御部１０５は、制御部１０３から次の発光させるＢＬ１０６が通知されると、前回点灯させていたＢＬを消去し、通知されたＢＬ１０６を点灯させる。
【００５６】
ステップＳ１６０５において、制御部１０３は前記Ｓ１６０４についてＢＬ１０６の発光が完了したのち、フィルム領域判定部１０７へセンサ値を取得するセンサのＩＤを指定する。フィルム領域判定部１０７は、指定されたセンサＩＤのセンサのセンサ値についてセンサ値取得部１０８を介し、取得し保持する。
【００５７】
＜効果＞
以上のように、ＢＬを個別に発光させることにより、他のＢＬの発光によるセンサへの影響を軽減することが可能となる。また、ＢＬの個別発光によりセンサ受光量が低下した場合に、センサ感度を上げることにより、フィルムが置かれた領域と置かれていない領域の判別がし易くなり、シャウカステン領域の精度を向上することができる。
なお、実施例３では、ＢＬを個別に発光させることでセンサの受光量が下がる為、センサの感度を上げることを説明したが、全てのＢＬの発光量を下げることによりセンサの受光量が下がった場合に、センサ感度を上げるようにしても良い。もしくは、センサ感度の調整を行わず、個別発光させるＢＬの光量を上げることでセンサの受光量を確保しても良
い。
なお、実施例３では、各ＢＬを個別に１回ずつ点灯させ例で説明を行ったが、図１６の処理を複数回繰り返し行い、シャウカステン領域の特定処理を繰り返すようにしても良い。これにより、ユーザがシャウカステン領域検出開始を指示した後に医用画像表示装置にフィルムを置いた場合や、フィルムを置いた後にフィルムの位置を調整した場合でも、精度良くフィルム領域を特定することが可能となる。
＜その他の実施形態＞
本発明は、記憶媒体に記録された、コンピュータにより実行可能な命令を、読み出し実行することで上述した本発明の実施形態に記載した１以上の機能を行うシステムや装置のコンピュータによっても、実施することができる。ここで、記憶媒体は、非一時的にデータを保持するコンピュータ読取可能な記憶媒体である。本発明はまた、システムや装置のコンピュータによって行われる方法であって、例えばコンピュータにより実行可能な命令を記憶媒体から読み出し実行することで上述した本発明の実施形態に記載した１以上の機能が行われる、方法によっても実施することができる。コンピュータは、１以上のＣＰＵ（central processing unit）、ＭＰＵ（micro processing unit）、その他の回路により構成される。更に別個の複数のコンピュータや別個のコンピュータプロセッサのネットワークを含んでも良い。コンピュータにより実行可能な命令は、例えば、ネットワークや記憶媒体からコンピュータに提供されても良い。記憶媒体は、例えば、１以上の、ハードディスク、ＲＡＭ（random-access memory）、ＲＯＭ（read only memory）、分散コンピューティングシステムの記憶装置を含んでも良い。記憶媒体はまた、光学ディスク（例えばＣＤ（compact disc）、ＤＶＤ（digital versatile disc）、ＢＤ（Blu-ray （登録商標）Disc））、フラッシュメモリ、メモリカードを含んでも良い。実施例を参照して本発明を説明したが、本発明は実施例の開示に限定されないものと解されるべきである。本発明は、実施例に対する本発明の範囲内のあらゆる変形や等価な構造や機能を包含するよう最も広く解釈されるべきものである。
【符号の説明】
【００５８】
１００：医用画像表示装置、１０３：制御部、１０４：表示部、１０５：ＢＬ制御部、１０６：ＢＬ、１０７：フィルム領域判定部、１０８：センサ値取得部、１０９：センサ
【図１】
2015152785.tif 000003
【図２】
2015152785.tif 000004
【図３】
2015152785.tif 000005
【図４】
2015152785.tif 000006
【図５】
2015152785.tif 000007
【図６】
2015152785.tif 000008
【図７】
2015152785.tif 000009
【図８】
2015152785.tif 000010
【図９】
2015152785.tif 000011
【図１０】
2015152785.tif 000012
【図１１】
2015152785.tif 000013
【図１２】
2015152785.tif 000014
【図１３】
2015152785.tif 000015
【図１４】
2015152785.tif 000016
【図１５】
2015152785.tif 000017
【図１６】
2015152785.tif 000018
【図１７】
2015152785.tif 000019
【図１８】
2015152785.tif 000020